(57)【要約】  印刷ジョブの一部である印刷要素の特性を計算する方法であって、印刷する枚葉紙の範囲（１１２）を与える段階と、印刷ジョブの所望の面付け方式（２００）を与える段階と、所望の面付け方式により、印刷枚葉紙の範囲に必要な印刷要素のセット（１３４）を計算する段階と、印刷要素のセットを複数の印刷要素サブセットに分割する段階であって、各サブセットは印刷要素のセットより少ない印刷要素を含む、段階と、印刷要素サブセットの各々に対して、印刷要素の処理に必要な処理パラメータ（５１２）を計算する段階と、面付けレイアウトの計算をせずに、印刷要素と処理パラメータの計算を実行する段階と、を有する。
2011522321.tif 000002
【特許請求の範囲】
【請求項１】
印刷ジョブの一部である印刷要素の特性を計算する方法であって、
ａ）印刷枚葉紙の範囲を与える段階と、
ｂ）前記印刷ジョブに対して所望の面付け方式を与える段階と、
ｃ）前記所望の面付け方式により、前記印刷枚葉紙の範囲に必要な印刷要素のセットを計算する段階と、を有する方法。
【請求項２】
ｄ）前記印刷要素のセットを複数の印刷要素サブセットに分割する段階であって、前記サブセットはそれぞれ前記印刷要素のセットより少ない印刷要素を含む、段階と、
ｅ）前記印刷要素サブセットの各々の処理パラメータを計算する段階であって、前記処理パラメータは前記印刷要素の処理に必要である、段階とを有し、
ｆ）前記印刷要素と前記処理パラメータとの前記計算を、前記枚葉紙の面付けレイアウトの計算をせずに実行する、
請求項１に記載の方法。
【請求項３】
各枚葉紙は複数の印刷要素を有する、請求項１に記載の方法。
【請求項４】
各印刷要素はデジタルページである、請求項１に記載の方法。
【請求項５】
各印刷要素はデジタルページの一部である、請求項１に記載の方法。
【請求項６】
各枚葉紙は表面と裏面とを有する、請求項１に記載の方法。
【請求項７】
前記面付け方式は、中とじ、無線とじ、カットアンドスタック、ステップアンドリピート、ステップアンドコンティニューの面付け方式、またはその組み合わせよりなるグループのうち少なくとも１つである、
請求項１に記載の方法。
【請求項８】
前記処理パラメータは、方向、サイズ、分割、枚葉紙面、デスティネーションプロファイル、色空間、またはその組み合わせよりなるグループのうちの少なくとも１つを有する、
請求項２に記載の方法。
【発明の詳細な説明】
【技術分野】
【０００１】
本発明は、印刷ジョブにおいてページ面付けを実行せずに、デジタルフロントエンドによるデジタルページ処理のためのパラメータの計算方法に関する。
【背景技術】
【０００２】
デジタルカラーサーバは、印刷ジョブを受け取って処理するとき、その前のジョブ面付け段階からの処理と準備に必要なパラメータを求めることが多い。印刷ジョブの各デジタルページは、正しく処理するために、方向と位置の情報を有していなければならない。この問題は、今日では一般的な方法でいろいろと解決されている。
【０００３】
一部のベンダーは、印刷ジョブを処理に出す前に、すべてのジョブ面付けを実行する。これは、面付けをデスクトップアプリケーション（DTP）段階で行うことを意味する上流面付けに似ている。（これは画像化エレクトロニクスにある。）この場合、ページ処理用パラメータを、前に実行した面付けから求める。この方法には性能的な問題があり、タイムリミット寸前の面付けをすることができない。例えば、１ページを変更しても、それはある面付け方式の一部であり、面付け処理を再度実行する必要があり、そのため、印刷ジョブをカラーサーバに再度送らなければならない。
【０００４】
コダック社のNexPressデジタルプリンタを駆動するように構成されたコダック社のNexStationサーバは、別の方法でこの問題を解決している。NexStationは、印刷ジョブに含まれるページを処理する前にすべての面付けを行う。この処理は完全な平面を処理し、すべてのページは１枚の印刷枚葉紙の一面の一部である。NexStationはページ記述フォーマット（PDF）ページのみを処理する。
【０００５】
PDFフォーマットは、ポストスクリプト（PS）で記述されたページと異なり、ページへのランダムアクセスが可能であり、再面付けをしなくても容易に変更することができる。しかし、このPDFだけのページを使うという制約は、カラーサーバにとっては難しい制約であり、印刷ジョブPDFページの準備に余計な変換時間と、面付け方式の変更とを必要とする。これにより印刷ジョブの再処理が必要となる。
【０００６】
現在のカラーサーバのバージョンでは、面付けを２回行う必要がある。１回目はページ処理段階で行われ、実際の印刷を行う前に、２回目にすべてのページの面付けをする。これには内在的な性能問題がある。最初の面付けを実行して、正しい印刷ジョブページ処理のために必要なパラメータを求める。このレイアウト面付けプロセスは、ページの順番に行われ、非常に時間がかかるプロセスである。
【０００７】
早期にレイアウト面付けを実行しなくてもページ処理のためのパラメータを計算する方法が必要とされている。本発明は、印刷ジョブの実際の印刷の直前に、１回のジョブ面付け段階を実行することを提案する。
【発明の概要】
【０００８】
簡潔に言うと、本発明の一態様によると、印刷ジョブの一部である印刷要素の特性を計算する方法であって、印刷枚葉紙の範囲を与える段階と、印刷ジョブの所望の面付け方式を与える段階と、所望の面付け方式により、印刷枚葉紙の範囲に必要な印刷要素のセットを計算する段階と、印刷要素のセットを複数の印刷要素サブセットに分割する段階であって、各サブセットは印刷要素のセットより少ない印刷要素を含む、段階と、印刷要素サブセットの各々の処理パラメータを計算する段階であって、前記処理パラメータは前記印刷要素の処理に必要である、段階と、を有し、印刷要素と処理パラメータの計算を、枚葉紙の面付けレイアウトの計算をせずに行う。
【０００９】
本発明の上記その他の目的、特徴、効果は、本発明の例示的実施形態を示して説明した、図面を参照して、以下の詳細な説明を読めば、当業者には明らかになるであろう。
【図面の簡単な説明】
【００１０】
【図１】ある印刷ジョブの処理に必要なページの計算を示すフロー図である。
【図２】２枚の表枚葉紙または２枚の裏枚葉紙に、４ページの中とじ及び無線とじ面付けのために、ページ範囲の計算をするテンプレートを示す図である。
【図３】中とじ面付けの処理に必要なページ範囲を求める、ある枚葉紙範囲に対する面付けレイアウト構成の一例を示す図である。
【図４】無線とじ面付けの処理に必要なページ範囲を求める、ある枚葉紙範囲に対する面付けレイアウト構成の他の一例を示す図である。
【図５】ある印刷ジョブの処理に必要なページ規則の計算を示すフロー図である。
【図６】中とじ及び無線とじ面付けのためのページ範囲を計算するテンプレートを示す図である。
【図７】中とじ面付けの処理に必要なページ範囲を求める、ある枚葉紙範囲に対する完全な面付けレイアウト構成の一例を示す図である。
【図８】無線とじ面付けの処理に必要なページ範囲を求める、ある枚葉紙範囲に対する完全な面付けレイアウト構成の一例を示す図である。
【発明を実施するための形態】
【００１１】
以下に開示する方法は関連する２つの問題に対する解決策を示唆する。第１の問題は、ユーザが印刷を要求した所望の枚葉紙の範囲の一部である、必要なページまたは印刷要素の計算である。第２の問題は、特定の印刷要素に関連する処理規則の計算である。例えば、目的規則は、ページ方向、印刷枚葉紙のカラープロファイル、その他の属性を表す。カラープロファイル及びその他の属性はページをどこに印刷するかに依存する。セットナンバー,枚葉紙ナンバー、及び枚葉紙面（表か裏か）に依存する。
【００１２】
図１は、ある印刷ジョブを処理するために必要なページ計算を示すフローチャート１００を示す。
【００１３】
枚葉紙印刷範囲１１２は、ジョブプログラミング段階１１０でユーザにより選択される。枚葉紙印刷範囲１１２は、処理段階１２０に送られる。処理段階１２０は、分割ページ範囲問い合わせ１３２を開始し、どのページ（または印刷要素）がその前に選択された枚葉紙印刷範囲１１２の印刷にかかわるか見いだす。分割したページのリスト１３４が、ジョブ規則段階１３０と面付け段階１４０から処理段階１２０に返される。処理段階は分割したページの処理を開始する（１３６）。処理したページの印刷は、印刷段階１５０を起動して開始する（１５２）。印刷段階は、ビルド面付けレイアウト１４２プロセスをトリガーして、ジョブ１５４の実際の印刷前にデータを準備する。
【００１４】
ある枚葉紙印刷範囲にかかわる印刷要素を分割する方法は、面付け方式によって異なる。以下の例では、中とじ、無線とじ、ステップアンドコンティニュー面付け方式の場合に、ある枚葉紙範囲からページを分割する計算を説明する。
【００１５】
ある枚葉紙範囲の中とじ面付けからページを分割する方法を、以下、メタ言語形式で記載する。
枚葉紙範囲からプロセス範囲まで  中とじ
【００１６】
【数１】
2011522321.tif 000003
図２は中とじ及び無線とじ面付けテンプレート２００を示す。テンプレート２００は、表面枚葉紙テンプレート２１０と裏面枚葉紙テンプレート２２０とを含む。
【００１７】
テンプレート２００を用いて、中とじ４×２（２枚の枚葉紙に４つの印刷要素）面付けの枚葉紙範囲からページを分割する。
【００１８】
８５ページのジョブの例を挙げる。ある印刷枚葉紙の範囲４−５において、ジョブからページを分割する必要がある。
【００１９】
図３は、８５ページのジョブにおいて、枚葉紙４−５に対するレイアウトの結果３００を示す。計算されたレイアウト３００は、４つの原板を有する：表面枚葉紙４（３１０）、裏面枚葉紙４（３２０）、表面枚葉紙５（３３０）及び裏面枚葉紙５（３４０）。中とじ面付けの場合、分割したページで処理して枚葉紙４−５になるのは、２５−４０と５７−７２である。上記の方法によるこの計算の結果、次のようになる：
【００２０】
【数２】
2011522321.tif 000004
ある枚葉紙範囲で無線とじまたはステップアンドコンティニュー面付けからページを分割する方法を、以下、メタ言語形式で記載する。
枚葉紙範囲からプロセス範囲へ  無線とじ／ステップアンドコンティニュー
【００２１】
【数３】
2011522321.tif 000005
１３０ページのジョブの例を挙げる。無線とじ面付け４×２（２枚葉紙に４ページ）で、ある印刷枚葉紙範囲６−７において、ジョブから分割する必要があるページを用いる。
【００２２】
図４は、１３０ページのジョブにおいて、枚葉紙６−７に対する無線とじレイアウトの結果４００を示す。
【００２３】
計算されたレイアウト４００は、４つの原板を有する：表面枚葉紙６（４１０）、裏面枚葉紙６（４２０）、表面枚葉紙７（４３０）及び裏面枚葉紙７（４４０）。
【００２４】
無線とじ面付けの場合、分割したページで、処理して枚葉紙６−７になるのは、８１−１１２である。上記の方法によるこの計算の結果、次のようになる：
【００２５】
【数４】
2011522321.tif 000006
図５は、ページ規則計算５００のフローチャートを示す。規則は、印刷ジョブから選択したページの処理に必要なパラメータのセットを表す。かかるパラメータのリストには、ページ方向、サイズ、分割、枚葉紙面、デスティネーションプロファイル、色空間が含まれるが、これらに限定されない。
【００２６】
開示した方法は、必要なパラメータを求めるための面付けレイアウトの実行を必要としない。求める規則情報には、ジョブに用いる面付け方式で、ジョブのページに必要なページ方向やカラー処理のパラメータなどの情報を含む。
【００２７】
処理段階１２０は、上記のページ分割方法で計算した分割したページ範囲を処理する必要がある。要求されたページ範囲を処理するために、ページ規則情報を計算しなければならない。処理段階１２０はページ規則情報を要求する（５１０）。ジョブ規則段階１３０と面付け段階１４０は、処理段階１２０に、ページ方向やカラー処理のパラメータ５１４などのページ規則パラメータ５１２を返す。
【００２８】
印刷ジョブにかかわる分割したページのための処理規則の計算方法も面付け方式によって異なる。以下の例では、中とじ、無線とじ、ステップアンドコンティニュー面付け方式の場合に、分割したページの処理規則計算を説明する。
【００２９】
面付けレイアウトの計算をしないで処理規則を計算すると、必要な個別のページ方向の角度（０／９０／１８０／２７０）が求まる。ハードウェアによる回転が１８０°回転をサポートする場合、処理段階１２０はページを０°または９０°だけ回転し、必要に応じて、これをハードウェア回転で１８０°補足して、１８０°及び２７０°の回転を達成する。
【００３０】
ハードウェアによる回転が９０°及び１８０°をサポートする場合、処理段階１２０はページの回転をまったく行わず、この場合にはすべての回転は印刷段階１５０の前に行う。小角度の回転を用いてトレイのアライメントを調整する。このタイプの回転は、トレイに対する要求を補償するために、枚葉紙の表面または裏面のどこにページを印刷するかに応じて、処理段階１２０により実行される。
【００３１】
中とじ面付けで、分割したページ範囲の処理規則を計算する方法を、以下、メタ言語形式で記載する。
中とじ用プロセス情報
【００３２】
【数５】
2011522321.tif 000007
図６は中とじ及び無線とじ面付けテンプレート６００を示す。テンプレート６００は、表面枚葉紙テンプレート６１０と裏面枚葉紙テンプレート６２０とを含む。テンプレート６００を、中とじ面付けの場合に、分割したページの処理規則計算に用いる。
【００３３】
１，０００ページのジョブの例を挙げる。図７は、１，０００ページジョブの場合に、枚葉紙１−２の中とじ面付けレイアウト７００を示す。レイアウト７００は、枚葉紙１表７１０,枚葉紙１裏７２０、枚葉紙２表７３０、及び枚葉紙２裏７４０のレイアウトを含む。１，０００ページジョブ、中とじ面付けで、枚葉紙１−２の、上記の計算方法による処理規則の計算結果は次の通りである：
ページ１−８のプロセスレイアウト
ページ１  方向１８０  前面  枚葉紙ナンバー１
ページ２  方向０  裏面  枚葉紙ナンバー１
ページ３  方向１８０  裏面  枚葉紙ナンバー１
ページ４  方向０  前面  枚葉紙ナンバー１
ページ５  方向１８０  前面  枚葉紙ナンバー２
ページ６  方向０  裏面  枚葉紙ナンバー２
ページ７  方向１８０  裏面  枚葉紙ナンバー２
ページ８  方向０  前面  枚葉紙ナンバー２
ページ９９３−１０００のプロセスレイアウト
ページ９９３  方向０  前面  枚葉紙ナンバー２
ページ９９４  方向１８０  裏面  枚葉紙ナンバー２
ページ９９５  方向０  裏面  枚葉紙ナンバー２
ページ９９６  方向１８０  前面  枚葉紙ナンバー２
ページ９９７  方向０  前面  枚葉紙ナンバー１
ページ９９８  方向１８０  裏面  枚葉紙ナンバー１
ページ９９９  方向０  裏面  枚葉紙ナンバー１
ページ１０００  方向１８０  前面  枚葉紙ナンバー１
無線とじで、分割したページ範囲の処理規則を計算する方法を、以下、メタ言語形式で記載する。
無線とじ用プロセス情報
【００３４】
【数６】
2011522321.tif 000008
３５０ページのジョブの例を挙げる。図８は、３５０ページジョブの場合に、枚葉紙１−２の無線とじ面付けレイアウト８００を示す。レイアウト８００は、枚葉紙１表８１０、枚葉紙１裏８２０、枚葉紙２表８３０、及び枚葉紙２裏８４０のレイアウトを含む。
【００３５】
３５０ページジョブ、枚葉紙１−２の無線とじ面付けで、上記の計算方法による処理規則の計算結果は次の通りである：
ページ１−１６のプロセスレイアウト
ページ１  方向１８０  前面  枚葉紙ナンバー１
ページ２  方向０  裏面  枚葉紙ナンバー１
ページ３  方向１８０  裏面  枚葉紙ナンバー１
ページ４  方向０  前面  枚葉紙ナンバー１
ページ５  方向０  前面  枚葉紙ナンバー１
ページ６  方向１８０  裏面  枚葉紙ナンバー１
ページ７  方向０  裏面  枚葉紙ナンバー１
ページ８  方向１８０  前面  枚葉紙ナンバー１
ページ９  方向１８０  前面  枚葉紙ナンバー２
ページ１０  方向０  裏面  枚葉紙ナンバー２
ページ１１  方向１８０  裏面  枚葉紙ナンバー２
ページ１２  方向０  前面  枚葉紙ナンバー２
ページ１３  方向０  前面  枚葉紙ナンバー２
ページ１４  方向１８０  裏面  枚葉紙ナンバー２
ページ１５  方向０  裏面  枚葉紙ナンバー２
ページ１６  方向１８０  前面  枚葉紙ナンバー２
【符号の説明】
【００３６】
１００  ページ処理に必要なページの計算を示すフローチャート
１１０  ジョブプログラミング段階
１１２  枚葉紙印刷範囲
１２０  処理段階
１３０  ジョブ規則段階
１３２  ページ範囲分割開始
１３４  分割したページのリスト
１３６  プロセス分割したページ
１４０  面付け段階
１４２  ビルド面付けレイアウト
１５０  印刷段階
１５２  印刷開始
１５４  ジョブを印刷
２００  中とじ及び無線とじ面付けテンプレート（４×２）
２１０  表面枚葉紙テンプレート２００
２２０  裏面枚葉紙テンプレート２００
３００  レイアウト枚葉紙（４−５）の例
３１０  表面枚葉紙４
３２０  裏面枚葉紙４
３１０  表面枚葉紙５
３２０  裏面枚葉紙５
４００  レイアウト枚葉紙（６−７）の例
４１０  表面枚葉紙６
４２０  裏面枚葉紙６
４１０  表面枚葉紙７
４２０  裏面枚葉紙７
５００  ページ処理に必要なページ規則の計算を示すフローチャート
５１０  ページ規則取得開始
５１２  ページ規則取得
５１４  ページ方向及びカラー処理パラメータ
６００  中とじ及び無線とじ面付けテンプレート（２×２）
６１０  表面枚葉紙テンプレート６００
６２０  裏面枚葉紙テンプレート６００
７００  １０００ページレイアウト枚葉紙（１−２）の中とじ面付けの例
７１０  表面枚葉紙１（面付け７００）
７２０  裏面枚葉紙１
７３０  表面枚葉紙２
７４０  裏面枚葉紙２
８００  ３５０ページレイアウト枚葉紙（１−２）の無線とじ面付けの例
８１０  表面枚葉紙１（面付け８００）
８２０  裏面枚葉紙１
８３０  表面枚葉紙２
８４０  裏面枚葉紙２
【図１】
2011522321.tif 000009
【図２】
2011522321.tif 000010
【図３】
2011522321.tif 000011
【図４】
2011522321.tif 000012
【図５】
2011522321.tif 000013
【図６】
2011522321.tif 000014
【図７】
2011522321.tif 000015
【図８】
2011522321.tif 000016
【国際調査報告】
2011522321.tif 000017
2011522321.tif 000018
2011522321.tif 000019